(57)【要約】【課題】必要な部品が少なく、構造が簡単であり、更に静止状態に戻すために必要な力を大きく得ることが可能な回転構造体１Ａを提供する。【解決手段】回転構造体１Ａは、回転軸７０を中心として相互に回転可能な一対の支持体１０，２０と、前記回転軸７０を固定するための軸受体１２，１４と、少なくとも一部が傾斜している回転カム面２４，２８を有する回転カム体２２，２６と、前記回転カム面２４，２８と接触する接触子４２，４６を有するスライダー４０，４４と、前記スライダー４０，４４を付勢するための付勢手段６０と、前記スライダー４０，４４を、前記回転軸７０を中心として回転させずに、前記回転軸７０の軸方向に沿って摺動させるためのガイド手段６４とを含み、互いに接触する前記回転カム面２４，２８と前記接触子４２，４６との組合せを少なくとも二組有することを特徴とする。【選択図】図５
2018165446.tif 000002
【特許請求の範囲】
【請求項１】
回転軸を中心として相互に回転可能な一対の支持体と、
前記支持体の回転軸側の側面に担持され、前記回転軸を固定するための軸受体と、
前記支持体の回転軸側の側面に担持され、前記回転軸を中心として回転可能であり、少なくとも一部が傾斜している回転カム面を有する回転カム体と、
前記回転カム面と対向して設けられるスライダーであって、そのスライダーが、対向する前記回転カム面と接触する接触子を有し、そしてその接触子と前記回転カム面との接触によって、前記スライダーが前記回転軸の軸方向に沿って摺動可能である、前記スライダーと、
前記スライダーにおける接触子とは反対側に設けられ、前記スライダーを前記接触子の方向に付勢するための付勢手段と、
前記スライダーを、前記回転軸を中心として回転させずに、前記回転軸の軸方向に沿って摺動させるためのガイド手段と
を含み、
互いに接触する前記回転カム面と前記接触子との組合せを少なくとも二組有する、回転構造体。
【発明の詳細な説明】
【技術分野】
【０００１】
本発明は、回転構造体に関する。
【背景技術】
【０００２】
従来、回動式の開閉扉において、開いた扉を自動的に閉じた状態にしたり、閉じた扉を自動的に開いた状態にしたりするための蝶番が種々提案されている。
例えば、特許文献１には、合計３個のピン受筒体が同一軸線上に位置するように備えられた一対の接続部材、及びそのピン受筒体内に挿通される１組のピン（可動ピンおよび固定ピン）を含む蝶番が提案されている。特許文献１に記載の蝶番では、具体的には、それらのピン受筒体内に、調節ネジ、分割ピン、コイルバネ、座金、角型鍔を有する可動ピン、座金、ガイドピン、および可動ピンが設けられている。
【先行技術文献】
【特許文献】
【０００３】
【特許文献１】実公昭６３−１７３４７９号公報
【発明の概要】
【発明が解決しようとする課題】
【０００４】
しかしながら、特許文献１に記載の蝶番では、必要な部品が多く、構造が複雑であるので、部品コストや組み立てコストが高くなってしまう欠点がある。
更に、特許文献１に記載の蝶番では、扉を静止状態から開方向または閉方向に少ししか回動させなかった場合には、静止状態に戻すために必要な力を大きく得ることができない欠点がある。
【０００５】
なお、特許文献１に記載の蝶番において、静止状態に戻すために必要な力を大きく得るための方法としては、可動ピンと固定ピンとの接触面（回転軸に対する垂直面から偏向している面）を更に鋭角にすることが考えられる。接触面を鋭角にすることによって、扉を開く角度が同じ条件において、鈍角の場合と比較して、更にコイルバネが縮まり、静止状態に戻すために必要な力を大きく得ることが可能となるからである。
しかしながら、接触面を更に鋭角にした場合には、可動ピンおよび固定ピンが尖がってしまい、可動ピン及び固定ピンについての強度の問題や、固定ピンに対して可動ピンが円滑に移動しない問題が発生してしまう。
【０００６】
本発明者は、従来技術の前記欠点を解消するために、鋭意研究を重ねた結果、必要な部品が少なく、構造が簡単であり、従って、部品コストや組み立てコストを軽減することができ、更に、静止状態から開方向または閉方向に少ししか回動させなかった場合でも、静止状態に戻すために必要な力を大きく得ることが可能な回転構造体を開発することに成功した。
【課題を解決するための手段】
【０００７】
前記の課題は、本発明による、
回転軸を中心として相互に回転可能な一対の支持体と、
前記支持体の回転軸側の側面に担持され、前記回転軸を固定するための軸受体と、
前記支持体の回転軸側の側面に担持され、前記回転軸を中心として回転可能であり、少なくとも一部が傾斜している回転カム面を有する回転カム体と、
前記回転カム面と対向して設けられるスライダーであって、そのスライダーが、対向する前記回転カム面と接触する接触子を有し、そしてその接触子と前記回転カム面との接触によって、前記スライダーが前記回転軸の軸方向に沿って摺動可能である、前記スライダーと、
前記スライダーにおける接触子とは反対側に設けられ、前記スライダーを前記接触子の方向に付勢するための付勢手段と、
前記スライダーを、前記回転軸を中心として回転させずに、前記回転軸の軸方向に沿って摺動させるためのガイド手段と
を含み、
互いに接触する前記回転カム面と前記接触子との組合せを少なくとも二組有する、回転構造体によって解決することができる。
【０００８】
本発明による回転構造体の好ましい態様によれば、１つのスライダーに設けた付勢手段が、他のスライダーの付勢手段としても機能する。
【０００９】
本発明の第１実施態様による中央付勢型回転構造体１Ａは、
回転軸を中心として相互に回転可能な一対の第１支持体１０及び第２支持体２０と、
前記第１支持体１０の回転軸側の側面に担持され、前記回転軸を固定するための第１軸受体１２及び第２軸受体１４と、
前記第２支持体２０の回転軸側の側面に担持され、前記回転軸を中心として回転可能であり、少なくとも一部が傾斜している第１回転カム面２４を有する第１対型回転カム体２２と、
前記第２支持体２０の回転軸側の側面に担持され、前記回転軸を中心として回転可能であり、少なくとも一部が傾斜している第２回転カム面２８を有する第２対型回転カム体２６と、
前記第１回転カム面２４と対向して設けられる第１スライダー４０であって、その第１スライダー４０が、対向する前記第１回転カム面２４と接触する第１接触子４２を有し、そしてその第１接触子４２と前記第１回転カム面２４との接触によって、前記第１スライダー４０が前記回転軸の軸方向に沿って摺動可能である、第１スライダー４０と、
前記第２回転カム面２８と対向して設けられる第２スライダー４４であって、その第２スライダー４４が、対向する前記第２回転カム面２８と接触する第２接触子４６を有し、そしてその第２接触子４６と前記第２回転カム面２８との接触によって、前記第２スライダー４４が前記回転軸の軸方向に沿って摺動可能である、第２スライダー４４と、
前記第１スライダー４０における前記第１接触子４２及び前記第２スライダー４４における前記第２接触子４６とは反対側に設けられ、前記第１スライダー４０を第１接触子４２の方向に付勢し、かつ前記第２スライダー４４を第２接触子４６の方向に付勢するための中央付勢手段６０と、
前記第１スライダー４０を、前記回転軸を中心として回転させずに、前記回転軸の軸方向に沿って摺動させるための中央ガイド手段６４と
を含み、
中央付勢手段６０の軸方向両端部に第１スライダー４０および第２スライダー４４が隣接し、そして、第１スライダー４０の中央付勢手段６０とは反対側において、第１軸受体１２との間に第１対型回転カム体２２が設けられ、更に、第２スライダー４４の中央付勢手段６０とは反対側において、第２軸受体１４との間に第２対型回転カム体２６が設けられている。
【００１０】
本発明の第２実施態様による分離付勢型回転構造体１Ｂは、
回転軸を中心として相互に回転可能な一対の第１支持体１０及び第２支持体２０と、
前記第１支持体１０の回転軸側の側面に担持され、前記回転軸を固定するための第１軸受体１２及び第２軸受体１４と、
前記第２支持体２０の回転軸側の側面に担持され、前記回転軸を中心として回転可能であり、少なくとも一部が傾斜している第１回転カム面２４及び第２回転カム面２８を有する両面接触型中央回転カム体３０と、
前記第１回転カム面２４と対向して設けられる第１スライダー４０であって、その第１スライダー４０が、対向する前記第１回転カム面２４と接触する第１接触子４２を有し、そしてその第１接触子４２と前記第１回転カム面２４との接触によって、前記第１スライダー４０が前記回転軸の軸方向に沿って摺動可能である、第１スライダー４０と、
前記第２回転カム面２８と対向して設けられる第２スライダー４４であって、その第２スライダー４４が、対向する前記第２回転カム面２８と接触する第２接触子４６を有し、そしてその第２接触子４６と前記第２回転カム面２８との接触によって、前記第２スライダー４４が前記回転軸の軸方向に沿って摺動可能である、第２スライダー４４と、
前記第１スライダー４０における第１接触子４２とは反対側に設けられ、前記第１スライダー４０を前記第１接触子４２の方向に付勢するための第１対型付勢手段６１と、
前記第２スライダー４４における第２接触子４６とは反対側に設けられ、前記第２スライダー４４を前記第２接触子４６の方向に付勢するための第２対型付勢手段６２と、
前記第１スライダー４０及び前記第２スライダー４４を、前記回転軸を中心として回転させずに、前記回転軸の軸方向に沿って摺動させるための両側ガイド手段６６と
を含み、
前記両面接触型中央回転カム体３０の軸方向両端部に隣接するように前記第１スライダー４０および前記第２スライダー４４がそれぞれ設けられ、そして、前記第１スライダー４０の前記両面接触型中央回転カム体３０とは反対側において、前記第１軸受体１２との間に前記第１対型付勢手段６１が設けられ、さらに、前記第２スライダー４４の前記両面接触型中央回転カム体３０とは反対側において、前記第２軸受体１４との間に前記第２対型付勢手段６２が設けられている。
【００１１】
本発明の第３実施態様による複合型回転構造体１Ｃは、
回転軸を中心として相互に回転可能な一対の第１支持体１０及び第２支持体２０と、
前記第１支持体１０の回転軸側の側面に担持され、前記回転軸を固定するための第１軸受体１２及び第２軸受体１４と、
前記第２支持体２０の回転軸側の側面に担持され、前記回転軸を中心として回転可能であり、少なくとも一部が傾斜している第１回転カム面２４を有する片面接触型中央回転カム体３２と、
前記第２支持体２０の回転軸側の側面に担持され、前記回転軸を中心として回転可能であり、少なくとも一部が傾斜している第２回転カム面２８を有する第２対型回転カム体２６と、
前記第１回転カム面２４と対向して設けられる第１スライダー４０であって、その第１スライダー４０が、対向する前記第１回転カム面２４と接触する第１接触子４２を有し、そしてその第１接触子４２と前記第１回転カム面２４との接触によって、前記第１スライダー４０が前記回転軸の軸方向に沿って摺動可能である、第１スライダー４０と、
前記第２回転カム面２８と対向して設けられる第２スライダー４４であって、その第２スライダー４４が、対向する前記第２回転カム面２８と接触する第２接触子４６を有し、そしてその第２接触子４６と前記第２回転カム面２８との接触によって、前記第２スライダー４４が前記回転軸の軸方向に沿って摺動可能である、第２スライダー４４と、
前記第１スライダー４０における第１接触子４２とは反対側に設けられ、前記第１スライダー４０を前記第１接触子４２の方向に付勢するための第１対型付勢手段６１と、
前記第２スライダー４４における第２接触子４６とは反対側に設けられ、前記第２スライダー４４を前記第２接触子４６の方向に付勢するための中央付勢手段６０と、
前記第１スライダー４０を、前記回転軸を中心として回転させずに、前記回転軸の軸方向に沿って摺動させるための両側ガイド手段６６と、
前記第２スライダー４４を、前記回転軸を中心として回転させずに、前記回転軸の軸方向に沿って摺動させるための中央ガイド手段６４と
を含み、
前記第１軸受体１２及び前記第２軸受体１４との間において、前記第１軸受体１２から軸方向に沿って順に、前記第１対型付勢手段６１、前記第１スライダー４０、前記片面接触型中央回転カム体３２、前記中央付勢手段６０、前記第２スライダー４４、および前記第２対型回転カム体２６が、同一軸線上に設けられている。
【００１２】
本明細書において、位置関係を示す用語（例えば、上端部、上部、中央部、下端部及び
下部）は、特に断らない限り、本発明による回転構造体を通常の方法で使用している状態での位置関係について用いるものとする。
【発明の効果】
【００１３】
本発明による回転構造体は、必要な部品が少なく、構造が簡単であり、従って、部品コストや組み立てコストを軽減することができ、更に、静止状態から開方向または閉方向に少ししか回動させなかった場合でも、静止状態に戻すために必要な力を大きく得ることが可能である。
【図面の簡単な説明】
【００１４】
【図１】本発明の第１実施態様による中央付勢型回転構造体における静止状態を示す斜視図である。
【図２】図１に示す静止状態から第２支持体を時計周りに９０度回転させた状態を示す斜視図である。
【図３】図２に示す状態から第２支持体を更に時計周りに９０度回転させて、第１支持体と第２支持体とを接触させた状態を示す斜視図である。
【図４】図１に示す静止状態から第２支持体を反時計周りに９０度回転させた状態を示す斜視図である。
【図５】本発明の第１実施態様による中央付勢型回転構造体の分解斜視図である。
【図６】本発明の第１実施態様による中央付勢型回転構造体における、ガイド手段の別の実施態様を示す分解斜視図である。
【図７】本発明の第１実施態様による中央付勢型回転構造体における、回転カム体およびスライダーの回転機構を示す部分斜視図である。
【図８】本発明の第２実施態様による分離付勢型回転構造体の分解斜視図である。
【図９】本発明の第２実施態様による分離付勢型回転構造体における、ガイド手段の別の実施態様を示す分解斜視図である。
【図１０】本発明の第３実施態様による複合型回転構造体の分解斜視図である。
【図１１】回転カム体およびスライダーの別の実施態様を示す部分斜視図である。
【図１２】回転カム体およびスライダーの更に別の実施態様を示す部分斜視図である。
【図１３】回転カム体およびスライダーの更に別の実施態様を示す部分斜視図である。
【発明を実施するための形態】
【００１５】
以下、本発明による回転構造体を添付図面に沿って説明するが、本発明はこの添付図面に示す態様に限定されるものではない。
【００１６】
最初に、図１〜図７に沿って、本発明の第１実施態様による中央付勢型回転構造体１Ａを説明する。
【００１７】
図１は、本発明の第１実施態様による中央付勢型回転構造体１Ａにおける静止状態を示す斜視図であり、図２は、図１に示す状態から第２支持体２０を時計周りに９０度回転させた状態を示す斜視図であり、図３は、図２に示す状態から第２支持体２０を更に時計周りに９０度回転させて、第１支持体１０と第２支持体２０とを接触させた状態を示す斜視図であり、図４は、図１に示す静止状態から第２支持体２０を反時計周りに９０度回転させた状態を示す斜視図である。図５は、本発明の第１実施態様による中央付勢型回転構造体の分解斜視図である。
【００１８】
中央付勢型回転構造体１Ａは、図５に示すように、支持体としての第１支持体１０及び第２支持体２０、軸受体としての第１軸受体１２及び第２軸受体１４、回転カム体としての第１対型回転カム体２２及び第２対型回転カム体２６、スライダーとしての第１スライダー４０及び第２スライダー４４、中央付勢手段６０、中央ガイド手段６４、及び回転軸７０を含む。
【００１９】
中央付勢型回転構造体１Ａは、中央付勢手段６０が、第１軸受体１２、第１対型回転カム体２２、および第１スライダー４０と、第２軸受体１４、第２対型回転カム体２６、および第２スライダー４４との間に、すなわち、中央部に存在する回転構造体である。
つまり、中央付勢手段６０の軸方向両端部に第１スライダー４０および第２スライダー４４が隣接し、そして、第１スライダー４０の中央付勢手段６０とは反対側において、第１軸受体１２との間に第１対型回転カム体２２が設けられ、更に、第２スライダー４４の中央付勢手段６０とは反対側において、第２軸受体１４との間に第２対型回転カム体２６が設けられている。
【００２０】
また、第１対型回転カム体２２、第１スライダー４０、中央付勢手段６０、第２スライダー４４、及び第２対型回転カム体２６は、それぞれ、回転軸７０を挿通するための挿通孔７４を有している。
従って、第１軸受体１２及び第２軸受体１４との間には、第１軸受体１２から軸方向に沿って順に、第１対型回転カム体２２、第１スライダー４０、中央付勢手段６０、第２スライダー４４、及び第２対型回転カム体２６が、同一軸線上に設けられている。
【００２１】
中央付勢型回転構造体１Ａは、図１に示すような第１支持体１０と第２支持体２０とが同一平面となる状態で静止状態となる。
この静止状態から、図２に示すように、第２支持体２０を外部から力を加えて時計周りに９０度回転させ、更に、図３に示すように、第１支持体と第２支持体とが接触した状態にまで、第２支持体２０を時計周りに回転させることができる。
また、図４に示すように、上記の静止状態から第２支持体２０を更に反時計周りに９０度回転させ、図４に示す状態にすることもできる。
図１〜図４では、第２支持体２０を時計周りまたは反時計周りに回転させたが、もちろん、第１支持体１０を時計周りまたは反時計周りに回転させることもできる。
従って、第１支持体１０と第２支持体２０とは、回転軸７０を中心として相互に回転可能である。
【００２２】
第１支持体１０および／または第２支持体２０を、外部から力を加えて時計周りまたは反時計周りに回転させた後に、外部の力を無くすことによって、図１に示す静止状態に自動的に戻すことができる。
【００２３】
第１支持体１０は、回転軸７０側の側面上端部において、第１軸受体１２を担持しており、その側面下端部において、第２軸受体１４を担持している。
第１支持体１０への第１軸受体１２および第２軸受体１４の担持は、それぞれを予め別個に製造した後に、それらを接合させることによって担持させたり、または、それらを一体的に製造することによって担持させたりすることもできる。
【００２４】
第１軸受体１２及び第２軸受体１４は、それぞれ、筒状の部材である。
【００２５】
回転軸７０は、第１軸受体１２及び第２軸受体１４においてその両端部が固定されている。回転軸７０は、図５に示すように、固定手段７２を使用して第１軸受体１２及び第２軸受体１４に固定したり、または、固定手段７２を使用しないで、回転軸７０を第１軸受体１２及び第２軸受体１４に直接固定したりすることもできる。
【００２６】
第２支持体２０は、回転軸７０側の側面上部において、第１対型回転カム体２２を担持しており、その側面下部において、第２対型回転カム体２６を担持している。
第２支持体２０への第１対型回転カム体２２および第２対型回転カム体２６の担持は、それぞれを予め別個に製造した後に、それらを接合させることによって担持させたり、または、それらを一体的に製造することによって担持させたりすることもできる。
【００２７】
第１対型回転カム体２２及び第２対型回転カム体２６は、回転軸７０を中心として回転可能である。
【００２８】
第１対型回転カム体２２は、第１スライダー４０側に、第１回転カム面２４を有しており、第２対型回転カム体２６は、第２スライダー４４側に、第２回転カム面２８を有している。
第１対型回転カム体２２及び第２対型回転カム体２６は、合計で、２つの回転カム面を有している。
【００２９】
第１回転カム面２４及び第２回転カム面２８は、それぞれ、傾斜している面、すなわち、回転軸７０に対する垂直面から偏向している面である。
具体的には、図５、図７（ａ）に示すように、第１回転カム面２４を第２支持体２０側からそれとは反対側まで上部に向かって直線状に連続して傾斜している面にして、そして、第２回転カム面２８を第２支持体２０側からそれとは反対側まで下部に向かって直線状に連続して傾斜する面とすることができる。
また、第１回転カム面２４を第２支持体２０側からそれとは反対側まで下部に向かって直線状に連続して傾斜している面にして、そして、第２回転カム面２８を第２支持体２０側からそれとは反対側まで上部に向かって直線状に連続して傾斜している面とすることもできる。
更に、第１回転カム面２４および第２回転カム面２８の傾斜を、上記の傾斜の組み合わせとすることもできる。
【００３０】
第１対型回転カム体２２及び第２対型回転カム体２６は、それぞれ、筒状の部材である。
【００３１】
第１回転カム面２４及び第２回転カム面２８は、それぞれ、緩斜面にしたり、急斜面にしたりすることができる。
緩斜面にした場合には、支持体の回転速度が遅くなり、急斜面にした場合には、その回転速度が速くなる。
【００３２】
第１スライダー４０および第２スライダー４４は、それぞれ、第１回転カム面２４または第２回転カム面２８と対向して設けられている。
第１スライダー４０は、第１回転カム面２４と接触する第１接触子４２を有しており、第２スライダー４４は、第２回転カム面２８と接触する第２接触子４６を有している。
【００３３】
第１回転カム面２４と第１スライダー４０の第１接触子４２との接触によって、後述するように、第１スライダー４０は、回転軸７０の軸方向に沿って摺動する。
一方、第２回転カム面２８と第２接触子４６との接触によって、後述するように、第２スライダー４４は、回転軸７０の軸方向に沿って摺動する。
【００３４】
第１接触子４２及び第２接触子４６は、静止状態において、図１に示すように、それぞれ、第１回転カム面２４または第２回転カム面２８と全面にわたって面接触させることができる。この場合における第１接触子４２及び第２接触子４６の接触面の形状は、楕円形状である。
また、第１接触子４２及び第２接触子４６は、静止状態において、それぞれ、第１回転カム面２４または第２回転カム面２８の第２支持体２０とは反対側の部分のみと点接触させることもできる。
第１接触子４２及び第２接触子４６の接触面の形状は、一方を全面接触させ、他方を点接触させることもできる。
第１接触子４２及び第２接触子４６の接触面の形状を両方とも、図１および図５に示すように、楕円形状にした場合には、静止状態を非常に安定して維持することができる。
【００３５】
あるいは、第１接触子４２及び／または第２接触子４６の接触面の形状を楕円形状として、第１回転カム面２４および／または第２回転カム面２８を点接触させることもできる。
【００３６】
中央付勢手段６０は、第１スライダー４０の第１接触子４２とは反対側に設けられており、第１接触子４２と第１回転カム面２４とが接触する方向に付勢している。
また、中央付勢手段６０は、第２スライダー４４の第２接触子４６とは反対側に設けられており、第２接触子４６と第２回転カム面２８とが接触する方向に付勢している。
すなわち、中央付勢手段６０は、第１接触子４２と第１回転カム面２４とが接触する方向に付勢するための付勢手段としても機能しており、更に、第２接触子４６と第２回転カム面２８とが接触する方向に付勢するための付勢手段としても機能している。
【００３７】
中央付勢手段６０は、付勢する機能を有している任意の公知手段である限り、特に限定されない。代表的には、コイルスプリングを挙げることができる。
【００３８】
中央付勢手段６０は、図５に示すように、全体として１個の付勢手段を使用することができ、または２個以上の付勢手段を１組として使用することもできる。
【００３９】
第１支持体１０の回転軸７０側の側面中央部には、突起状の中央ガイド手段６４が軸方向に沿って設けられている。突起状の中央ガイド手段６４と、第１スライダー４０及び第２スライダー４４のそれぞれに形成されたスライダー溝４８とを係合させることによって、第１スライダー４０及び第２スライダー４４は、回転軸７０を中心として回転せずに、回転軸７０の軸方向にのみ摺動することが可能となる。
第１スライダー４０および／または第２スライダー４４に突起部を設け、その突起部と係合するように中央ガイド手段６４の形状を溝とすることもできる。
【００４０】
中央ガイド手段６４は、図６に示すように、回転軸７０に設けることもできる。具体的には、中央ガイド手段６４の形状を図６に示すような四角柱状とし、第１スライダー４０および第２スライダー４４の挿通孔７４の断面形状をその四角柱状の断面形状と同一形状とすることによって、第１スライダー４０及び第２スライダー４４は、回転軸７０を中心として回転せずに、回転軸７０の軸方向にのみ摺動することが可能となる。
【００４１】
中央ガイド手段６４の形状は、第１スライダー４０及び第２スライダー４４が回転軸７０の軸方向にのみ摺動することが可能であれば、図６に示す四角柱状に限定されず、三角柱状や、断面が多角形である角柱状とすることもできる。
図１〜図５に示す態様では、第１支持体１０に対して、第１軸受体１２および第２軸受体１４を担持し、第２支持体２０に対して、第１対型回転カム体２２および第２対型回転カム体２６を担持しているが、第１支持体１０に対して、第１軸受体１２または第２軸受体１４のいずれか一方、および第１対型回転カム体２２または第２対型回転カム体２６のいずれか一方を担持し、そして、第２支持体２０に対して、第１支持体１０に担持しなかった他方の軸受体および他方の対型回転カム体を担持することもできる。
【００４２】
中央付勢型回転構造体１Ａにおいて、第１軸受体１２と第１対型回転カム体２２との間に、または第２軸受体１４と２対型回転カム体２６との間には、座金またはニードルベアリングを設けることができる。
【００４３】
図７（Ａ）〜（Ｃ）は、図１〜図３に示す状態において、第１対型回転カム体２２、第２対型回転カム体２６、第１スライダー４０、第２スライダー４４、中央付勢手段６０、及び回転軸７０のみとした仮想状態を示す斜視図である。図７（ａ）〜（ｃ）は、図７（Ａ）〜（Ｃ）の正面図である。
すなわち、図７（Ａ）および図７（ａ）は、図１に示す静止状態における部分斜視図および正面図であり、図７（Ｂ）および図７（ｂ）は、図２に示す状態における部分斜視図および正面図であり、図７（Ｃ）および図７（ｃ）は、図３に示す状態における部分斜視図および正面図である。
【００４４】
第１対型回転カム体２２が回転すると、第１スライダー４０と接触する第１対型回転カム体２２の下部領域（Ｘ１）が、第１スライダー４０の下部接触領域（Ｙ１）から上部接触領域（Ｙ２）まで第１スライダー４０の傾斜面を上方向に移動する。上記の移動において、第１スライダー４０は回転軸７０を中心として回転することができないので、第１スライダー４０は、中央付勢手段６０を第２スライダー４４の方向に押え付けながら、下方向に摺動する。
一方、第２対型回転カム体２６が回転すると、第２スライダー４４と接触する第２対型回転カム体２６の上部領域（Ｘ２）が、第２スライダー４４の上部接触領域（Ｙ３）から下部接触領域（Ｙ４）まで第２スライダー４４の傾斜面を下方向に移動する。上記の移動において、第２スライダー４４は回転軸７０を中心として回転することができないので、第２スライダー４４は、中央付勢手段６０を第１スライダー４０の方向に押え付けながら、上方向に摺動する。
すなわち、第１対型回転カム体２２および第２対型回転カム体２６が回転することによって、中央付勢手段６０は縮むことになる。
【００４５】
具体的には、図７（Ａ）に示す静止状態では、第１対型回転カム体２２および第２対型回転カム体２６の回転運動が行われないので、第１スライダー４０および第２スライダー４４の移動は行われず、中央付勢手段６０は縮まない。これに対して、図７（Ｃ）に示す状態では、第１対型回転カム体２２および第２対型回転カム体２６の回転運動が最大限行われるので、第１スライダー４０および第２スライダー４４の中央部への移動が最も大きく、中央付勢手段６０は大きく縮む。
【００４６】
図７（Ｂ）に示す状態、または図７（Ｃ）に示す状態において、外部の力を無くすと、中央付勢手段６０の復元力によって、第１スライダー４０は上方向に摺動し、第２スライダー４４は下方向に摺動する。第１スライダー４０の上方向への摺動によって、第１対型回転カム体２２の下部領域（Ｘ１）は、第１スライダー４０の下部接触領域（Ｙ１）に向かって下方向に移動する。また、第２スライダー４４の下方向への摺動によって、第２対型回転カム体２６の上部領域（Ｘ２）は、第２スライダー４４の上部接触領域（Ｙ３）に向かって上方向に移動する。
従って、図７（Ｂ）に示す状態、または図７（Ｃ）に示す状態において、外部の力を無くすと、図７（Ａ）に示す静止状態にもとに戻すことができる。
【００４７】
中央付勢手段６０の両端部に合計２個のスライダー（第１スライダー４０および第２スライダー４４）が設けられているので、１個の付勢手段に対して１個のスライダーが設けられている場合と比較して、同じ回動条件で、付勢手段は２倍縮まることになる。
【００４８】
次に、図８及び図９に沿って、本発明の第２実施態様による分離付勢型回転構造体１Ｂを説明する。なお、図８及び図９に示す実施の形態において、図１〜図７に示す実施態様と同じ機能を有する部分は、同じ符号（参照番号）で示し、それらの詳細な説明を省略する。
図８は、分離付勢型回転構造体１Ｂの分解斜視図である。分離付勢型回転構造体１Ｂでは、第１対型付勢手段６１と第２対型付勢手段６２の間に、両面接触型中央回転カム体３０、第１スライダー４０、および第２スライダー４４が配置されるように、付勢手段が設けられている。
つまり、両面接触型中央回転カム体３０の軸方向両端部に隣接するように第１スライダー４０および第２スライダー４４がそれぞれ設けられ、そして、第１スライダー４０の両面接触型中央回転カム体３０とは反対側において、第１軸受体１２との間に第１対型付勢手段６１が設けられ、さらに、第２スライダー４４の両面接触型中央回転カム体３０とは反対側において、第２軸受体１４との間に第２対型付勢手段６２が設けられている。
従って、第１軸受体１２及び第２軸受体１４との間には、第１軸受体１２から軸方向に沿って順に、第１対型付勢手段６１、第１スライダー４０、両面接触型中央回転カム体３０、第２スライダー４４、および第２対型付勢手段６２が、同一軸線上に設けられている。
【００４９】
両面接触型中央回転カム体３０は、第２支持体２０における回転軸７０側の側面中央部に設けられている。両面接触型中央回転カム体３０は、軸方向の両端部において第１回転カム面２４および第２回転カム面２８を有する。
両面接触型中央回転カム体３０は、合計で、２つの回転カム面を有している。
【００５０】
第１スライダー４０は、第１回転カム面２４と対向して設けられており、第２スライダー４４は、第２回転カム面２８と対向して設けられている。
第１回転カム面２４は、第１スライダー４０の第１接触子４２と接触しており、第２回転カム面２８は、第２スライダー４４の第２接触子４６と接触している。
【００５１】
第１対型付勢手段６１は、第１軸受体１２を基台部として、第１スライダー４０の第１接触子４２の方向に付勢している。
第２対型付勢手段６２は、第２軸受体１４を基台部として、第２スライダー４４の第２接触子４６の方向に付勢している。
【００５２】
第１支持体１０の回転軸７０側の側面上部には、突起状の両側ガイド手段６６が軸方向に沿って設けられている。一方、第１支持体１０の回転軸７０側の側面下部には、突起状の両側ガイド手段６６が軸方向に沿って設けられている。
突起状の両側ガイド手段６６と、第１スライダー４０及び第２スライダー４４のそれぞれに形成されたスライダー溝４８とを係合させることによって、第１スライダー４０及び第２スライダー４４は、回転軸７０を中心として回転せずに、回転軸７０の軸方向にのみ摺動することが可能となる。
第１スライダー４０および／または第２スライダー４４に突起部を設け、その突起部と係合するように両側ガイド手段６６の形状を溝とすることもできる。
本発明の第１実施態様と同様に、両側ガイド手段６６は、図９に示すように、回転軸７０に設けることもできる。
【００５３】
続いて、図１０に沿って、本発明の第３実施態様による複合型回転構造体１Ｃを説明する。なお、図１０に示す実施の形態において、図１〜図９に示す実施の形態と同じ機能を有する部分は、同じ符号（参照番号）で示し、それらの詳細な説明を省略する。
【００５４】
図１０は、複合型回転構造体１Ｃの分解斜視図である。複合型回転構造体１Ｃは、中央付勢型回転構造体１Ａおよび分離付勢型回転構造体１Ｂを組み合わせたものである。
複合型回転構造体１Ｃでは、第１軸受体１２及び第２軸受体１４との間において、第１軸受体１２から軸方向に沿って順に、第１対型付勢手段６１、第１スライダー４０、片面接触型中央回転カム体３２、中央付勢手段６０、第２スライダー４４、および第２対型回転カム体２６が、同一軸線上に設けられている。
片面接触型中央回転カム体３２は、第２支持体２０における回転軸７０側の側面中央部に設けられている。
【００５５】
片面接触型中央回転カム体３２は、第１スライダー４０側に第１回転カム面２４を有している。
第１軸受体１２、第１対型付勢手段６１、第１スライダー４０、第１回転カム面２４、及び両側ガイド手段６６の構成は、分離付勢型回転構造体１Ｂと同様の構成である。
片面接触型中央回転カム体３２は、第２スライダー４４側に軸方向に垂直な面（付勢手段用基台面３４）を有している。付勢手段用基台面３４は、中央付勢手段６０の基台部としての機能を有している。
中央付勢手段６０、第２スライダー４４、第２回転カム面２８を有する第２対型回転カム体２６、第２軸受体１４、及び中央ガイド手段６４の構成は、中央付勢型回転構造体１Ａと同様の構成である。
片面接触型中央回転カム体３２および第２対型回転カム体２６は、合計で、２つの回転カム面２４，２８を有している。
【００５６】
以上、本発明の回転構造体の各種態様について、添付図面に基づいて説明したが、以下、本発明の回転構造体について、更に説明する。
回転カム面および接触子は、図１１に示すような、曲線状の傾斜面とすることもできる。
図１１に示す態様の場合には、例えば、図２または図３に示す状態で外部の力を無くすと、外部の力を無くした直前の回転カム体の回転運動と比較して、図１に示す静止状態に近い回転運動は遅くなる。
【００５７】
回転カム面および接触子は、図１２（ａ）に示すような、傾斜面と水平面とを組み合わせた傾斜面とすることもできる。
対型回転カム体２２，２６の各回転カム面の傾斜面を、図１２（ａ）に示す傾斜面とした態様を図１２（ｂ）に示し、スライダー４０，４４の各接触子の傾斜面を、図１２（ａ）に示す傾斜面とした態様を図１２（ｃ）に示す。
図１２（ｂ）または図１２（ｃ）に示す態様の場合には、回転カム面と接触子とが水平面において接触している場合には、回転カム体およびスライダーはその位置で停止した状態となる。
【００５８】
回転カム面および接触子は、図１３（ａ）に示すような、山型の傾斜面とすることもできる。
対型回転カム体２２，２６の各回転カム面の傾斜面を、図１３（ａ）に示す傾斜面とした態様を図１３（ｂ）に示す。また、スライダー４０，４４の各接触子の傾斜面を、図１３（ａ）に示す傾斜面とした態様を図１３（ｃ）に示す。
図１３（ｂ）に示す態様の場合には、回転カム体２２，２６の最高位置Ｈ１をスライダー４０，４４の先端Ｔ１（Ｔ２）が乗り越えると、その位置でロックした状態となる。また、図１３（ｃ）に示す態様の場合には、スライダー４０，４４の最高位置Ｈ２を回転カム体２２，２６の先端Ｔ２が乗り越えると、その位置でロックした状態となる。
【００５９】
第１スライダー４０及び第２スライダー４４のそれぞれに形成されたスライダー溝４８の位置を、図５に示す位置からそれとは反対側の付近にすることによって、図３に示す第１支持体１０及び第２支持体２０を重ねた状態を静止状態とすることもできる。
スライダー溝４８の位置を変更することによって、図２に示すような９０度に開いた状態を静止状態にしたり、任意の角度に開いた状態を静止状態にしたりすることができる。
【００６０】
中央付勢手段６０、第１対型付勢手段６１、および第２対型付勢手段６２は、それぞれ、付勢力の強い付勢手段と付勢力の弱い付勢手段とを組み合わせた付勢手段を使用することができる。
付勢力の強い付勢手段の両端に付勢力の弱い付勢手段を設けた場合には、回転カム体を小さく回転させた場合には、弱い付勢力を働かすことができ、一方、大きく回転させた場合には強い付勢力を働かすことができる。
【００６１】
本発明の回転構造体は、図５に示す回転構造体１Ａの分解斜視図、図８に示す分離付勢型回転構造体１Ｂの分解斜視図、および図１０に示す複合型回転構造体１Ｃに示すように簡単に製造することができる。
回転軸７０と中央ガイド手段６４または両側ガイド手段６６とを組み立て前に一体化させた場合でも、公知の手段によって製造することができる。具体的には、軸受体および回転カム体を予め平板状にしておき、次に、回転軸７０とガイド手段とを一体化させたものを、平板状の軸受体および回転カム体に載置して、その後、平板状の軸受体および回転カム体を筒状にすることによって製造することができる。
【００６２】
第１支持体１０及び第２支持体２０は、例えば、図１〜図５に示すように、蝶番の羽根にして、中央付勢型回転構造体１Ａ、分離付勢型回転構造体１Ｂ、または複合型回転構造体１Ｃを蝶番とすることができる。この場合、第１支持体１０及び第２支持体２０に設けた取付孔７６を使用して、扉と扉枠体（または壁）とに回転構造体を取り付けることができる。
また、第１支持体２０及び／または第２支持体３０それ自体を、扉および／または扉枠体（または壁）にすることもできる。
更に、本発明による回転構造体は、時計周りまたは反時計回りに回転させることができ、かつ、少しの回動によって静止状態に戻すために必要な力を大きく得ることが可能なので、例えば、ウェスタンドア、またはペット用かごの扉に使用するのに適している。
また、本発明による回転構造体は、ワゴン車のバックドアを開閉する際のアシスト機構として、ショックアブソーバの代わりに使用することができる。ショックアブソーバを使用した場合にはワゴン車のバックドアを開閉するために非常に大きな力が必要となるが、本発明による回転構造体を使用した場合には軽い力でバックドアを開閉することが可能となる。
【符号の説明】
【００６３】
１Ａ・・・中央付勢型回転構造体；１Ｂ・・・分離付勢型回転構造体；
１Ｃ・・・複合型回転構造体；１０・・・第１支持体；１２・・・第１軸受体；
１４・・・第２軸受体；２０・・・第２支持体；２２・・・第１対型回転カム体；
２４・・・第１回転カム面；２６・・・第２対型回転カム体；
２８・・・第２回転カム面；３０・・・両面接触型中央回転カム体；
３２・・・片面接触型中央回転カム体；３４・・・付勢手段用基台面；
４０・・・第１スライダー；４２・・・第１接触子；４４・・・第２スライダー；
４６・・・第２接触子；４８・・・スライダー溝；
６０・・・中央付勢手段；６１・・・第１対型付勢手段；６２・・・第２対型付勢手段；
６４・・・中央ガイド手段；６６・・・両側ガイド手段；７０・・・回転軸；
７２・・・固定手段；７４・・・挿通孔；
【図１】
2018165446.tif 000003
【図２】
2018165446.tif 000004
【図３】
2018165446.tif 000005
【図４】
2018165446.tif 000006
【図５】
2018165446.tif 000007
【図６】
2018165446.tif 000008
【図７】
2018165446.tif 000009
【図８】
2018165446.tif 000010
【図９】
2018165446.tif 000011
【図１０】
2018165446.tif 000012
【図１１】
2018165446.tif 000013
【図１２】
2018165446.tif 000014
【図１３】
2018165446.tif 000015